Podtech/llm-jp-corpus-v4-ja_patent huggingface dataset:
【誤訳訂正書】
【提出日】平成24年2月23日(2012.2.23)
【誤訳訂正１】
【訂正対象書類名】特許請求の範囲
【訂正対象項目名】全文
【訂正方法】変更
【訂正の内容】
【特許請求の範囲】
【請求項１】
セラミック母材の複合材料で作られた熱構造部品を磨耗から保護する方法であって、コーティングが、
ａ）コロイド状シリカ、シリカ−アルミナおよび／またはアルミナの粉末状耐熱セラミック材料、ならびに水を含む混合物を用意するステップと、
ｂ）該混合物からなる少なくとも１つの層を、部品上に塗布するステップと、
ｃ）該層を乾燥させるステップと、
ｄ）該部品を１０００℃を超える温度に配置して、該層を焼成してエナメルコーティングを形成するステップと、
によって設けられ、前記コーティングが約２００μｍの厚さを有していることを特徴とする、方法。
【請求項２】
該混合物が、該部品の炭化ケイ素（ＳｉＣ）および／または炭化ホウ素（ＢＣ）を含んでいる表面層へと塗布されることを特徴とする、請求項１に記載の方法。
【請求項３】
該混合物中の耐熱セラミック材料が、アルミナケイ酸塩、アルミニウムケイ酸塩、およびアルミナからなる族に属していることを特徴とする、請求項１または２に記載の方法。
【請求項４】
該混合物中の耐熱セラミック材料が、ムライトであることを特徴とする、請求項１から３のいずれか一項に記載の方法。
【請求項５】
該混合物が、さらにオルトリン酸を含んでいることを特徴とする、請求項１から４のいずれか一項に記載の方法。
【請求項６】
ステップｄ）に先立って、チッ化ホウ素を含んでいる研磨用媒体で研磨を行なうステップをさらに含んでいることを特徴とする、請求項１から５のいずれか一項に記載の方法。
【請求項７】
セラミック母材の複合材料で作られた熱構造部品のための耐磨耗保護用コーティングであって、請求項１から６のいずれか一項に記載の方法によって製造されることを特徴とする、コーティング。
【請求項８】
セラミック母材の複合材料で作られた熱構造部品のための耐磨耗保護用コーティングであって、シリカ−アルミナおよび／またはアルミナ耐熱材料を含んでいるエナメルを形成しており、かつ約２００μｍの厚さを有していることを特徴とする、コーティング。
【請求項９】
当該コーティングの下方に位置する部品の表面層が、炭化ケイ素（ＳｉＣ）および／または炭化ホウ素（ＢＣ）を含んでいることを特徴とする、請求項８に記載のコーティング。
【請求項１０】
セラミック母材の複合材料で作られた熱構造部品であって、シリカ−アルミナおよび／またはアルミナ耐熱材料を含んでいるエナメルで構成され、約２００μｍの厚さを有している耐磨耗保護用コーティングを備えていることを特徴とする、部品。
【請求項１１】
該コーティングの下方に、炭化ケイ素（ＳｉＣ）および／または炭化ホウ素（ＢＣ）を含む表面層を有していることを特徴とする、請求項１０に記載の部品。
【請求項１２】
スロットルによって可変である部位のターボジェット排気ノズル（１０）の可動フラップ（１２、１４）を構成しており、該フラップが、自身の外表面の少なくとも一部分に耐磨耗保護用コーティングを備えている、請求項１０または１１に記載の部品。
【請求項１３】
請求項１２に記載の部品を備えているノズル。
【請求項１４】
請求項１２に記載の部品を備えているターボジェット。
【誤訳訂正２】
【訂正対象書類名】明細書
【訂正対象項目名】０００８
【訂正方法】変更
【訂正の内容】
【０００８】
本発明によれば、この目的が、コーティングを、
ａ）コロイド状シリカ、シリカ−アルミナおよび／またはアルミナの粉末状耐熱セラミック材料、ならびに水を含む混合物を用意するステップと、
ｂ）上記混合物からなる少なくとも１つの層を、部品上に塗布するステップと、
ｃ）上記層を乾燥させるステップと、
ｄ）上記部品を１０００℃を超える温度に配置し、上記層を焼成してエナメルコーティングを形成するステップと、
によって製造することを特徴とする方法によって、達成される。
【誤訳訂正３】
【訂正対象書類名】明細書
【訂正対象項目名】００２０
【訂正方法】変更
【訂正の内容】
【００２０】
特に、本発明は、ＣＭＣ材料熱構造部品を磨耗から保護するためのコーティングであって、シリカ−アルミナおよび／またはアルミナ耐熱材料を含んでいるエナメルを形成することを特徴とするコーティングをさらに提供する。
【誤訳訂正４】
【訂正対象書類名】明細書
【訂正対象項目名】００２１
【訂正方法】変更
【訂正の内容】
【００２１】
さらに、本発明は、シリカ−アルミナおよび／またはアルミナ耐熱材料を含んでいるエナメルによって構成された耐磨耗保護用コーティングを備えていることを特徴とするＣＭＣ材料熱構造部品を提供する。
【手続補正書】
【提出日】平成24年8月8日(2012.8.8)
【手続補正１】
【補正対象書類名】特許請求の範囲
【補正対象項目名】全文
【補正方法】変更
【補正の内容】
【特許請求の範囲】
【請求項１】
乾燥時に内部が乾燥室となる外槽と、この外槽内に回転自在に配置され洗濯物を収容する内槽と、この内槽を駆動するモータと、前記外槽を支持する筐体を備えた洗濯乾燥機において、前記内槽の内側面に手前側から奥側にかけて設けられ前記内槽の回転に伴って前記洗濯物を掻き揚げる主リフターと、前記内槽の内側面であって前記主リフターの間に設けられた補助リフターを有し、前記主リフターは、前記手前側の高さが、前記奥側の高さと比べて低く、前記主リフターの前記奥側の高さが、前記補助リフターの前記奥側の高さと比べて高いことを特徴とする洗濯乾燥機。
【請求項２】
請求項１において、前記補助リフターは、前記手前側の高さと前記奥側の高さが略同じであることを特徴とする洗濯乾燥機。
【請求項３】
請求項２において、前記補助リフターの底面部の幅が、前記内槽の内側面に設けられた複数の脱水孔の円周方向ピッチよりも小さいことを特徴とする洗濯乾燥機。
【請求項４】
請求項１において、前記補助リフターの高さが前記主リフターの最大高さの０.３倍以上０.４倍以下であることを特徴とする洗濯乾燥機。
【請求項５】
請求項１において、前記補助リフターの高さが前記内槽の内径の２％以上３％以下であることを特徴とする洗濯乾燥機。
【手続補正書】
【提出日】平成24年7月30日(2012.7.30)
【手続補正１】
【補正対象書類名】特許請求の範囲
【補正対象項目名】請求項６
【補正方法】変更
【補正の内容】
【請求項６】
前記配管部材に連結して前記供給管に対して回動自在に枢着する中継管を設け、この中継管と前記配管部材とを着脱自在に連結し、前記中継管から前記シャワー装置を取り外し自在に構成したことを特徴とする請求項１〜４の何れか１項に記載のシャワー装置を備えた催芽機。
【手続補正２】
【補正対象書類名】明細書
【補正対象項目名】００１２
【補正方法】変更
【補正の内容】
【００１２】
本発明の請求項６のシャワー装置を備えた催芽機は、前記配管部材に連結して前記供給管に対して回動自在に枢着する中継管を設け、この中継管と前記配管部材とを着脱自在に連結し、前記中継管から前記シャワー装置を取り外し自在に構成したことを特徴とする。
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
移動端末から送信されるレンジング要求の受信に応じて、レンジング応答を送信することでレンジングを行う基地局装置であって、
前記レンジング要求が初期レンジング又は定期的レンジングのための第一のレンジング要求であるか、ハンドオーバ時のレンジングのための第二のレンジング要求であるかを判断するレンジング判断部と、
受信したレンジング要求に基づいてレンジングパラメータ値を検出する検出部と、
検出した前記レンジングパラメータ値が目標範囲内であるか否かの判定を行う判定部と、
前記判定部による判定に応じて生成された調整パラメータであって前記移動端末に信号送信条件を調整させるための前記調整パラメータを前記レンジング応答に格納し、前記調整パラメータを格納したレンジング応答を前記移動端末に送信するレンジング応答部と、
前記レンジング判断部の判断結果が、第一のレンジング要求である場合と、第二のレンジング要求である場合とで、前記目標範囲を異ならせる目標範囲設定部と、を備えていることを特徴とする基地局装置。
【請求項２】
前記レンジング判断部が第二のレンジング要求であると判断した場合に前記目標範囲設定部が設定する目標範囲は、前記レンジング判断部が第一のレンジング要求であると判断した場合に前記目標範囲設定部が設定する目標範囲よりも広い目標範囲となるように設定される請求項１に記載の基地局装置。
【請求項３】
前記レンジングパラメータ値は、信号レベル、信号タイミング、及び、信号周波数の内、少なくともいずれか一つを含む請求項１又は２に記載の基地局装置。
【請求項４】
基地局装置と、この基地局装置との間で無線通信を行う移動端末とを備えた無線通信システムにおけるレンジング方法であって、
前記基地局装置が、移動端末から送信されるレンジング要求を受信すると、この受信したレンジング要求に基づいてレンジングパラメータ値を検出する検出ステップと、
受信した前記レンジング要求が初期レンジング又は定期的レンジングのための第一のレンジング要求であるか、ハンドオーバ時のレンジングのための第二のレンジング要求であるかを判断するレンジング判断ステップと、
前記レンジング判断ステップにより前記レンジング要求が前記第一のレンジング要求であると判断した場合と、前記第二のレンジング要求であると判断した場合とで、レンジングを完了させる基準となる前記レンジングパラメータ値の目標範囲を異なるように設定する目標範囲設定ステップと、
前記レンジングパラメータ値が、前記目標範囲設定ステップによって設定された前記目標範囲内であるか否かの判定を行い、その判定結果に応じて生成された調整パラメータであって前記移動端末に信号送信条件を調整させるための前記調整パラメータをレンジング応答に格納し、前記調整パラメータを格納した前記レンジング応答を前記移動端末に送信する送信ステップと、を備えていることを特徴とする無線通信システムにおけるレンジング方法。
【手続補正２】
【補正対象書類名】明細書
【補正対象項目名】００１０
【補正方法】変更
【補正の内容】
【００１０】
上記目的を達成するための本発明は、移動端末から送信されるレンジング要求の受信に応じて、レンジング応答を送信することでレンジングを行う基地局装置であって、前記レンジング要求が初期レンジング又は定期的レンジングのための第一のレンジング要求であるか、ハンドオーバ時のレンジングのための第二のレンジング要求であるかを判断するレンジング判断部と、受信したレンジング要求に基づいてレンジングパラメータ値を検出する検出部と、検出した前記レンジングパラメータ値が目標範囲内であるか否かの判定を行う判定部と、前記判定部による判定に応じて生成された調整パラメータであって前記移動端末に信号送信条件を調整させるための前記調整パラメータを前記レンジング応答に格納し、前記調整パラメータを格納したレンジング応答を前記移動端末に送信するレンジング応答部と、前記レンジング判断部の判断結果が、第一のレンジング要求である場合と、第二のレンジング要求である場合とで、前記目標範囲を異ならせる目標範囲設定部と、を備えていることを特徴としている。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
また、本発明は、基地局装置と、この基地局装置との間で無線通信を行う移動端末とを備えた無線通信システムにおけるレンジング方法であって、前記基地局装置が、移動端末から送信されるレンジング要求を受信すると、この受信したレンジング要求に基づいてレンジングパラメータ値を検出する検出ステップと、受信した前記レンジング要求が初期レンジング又は定期的レンジングのための第一のレンジング要求であるか、ハンドオーバ時のレンジングのための第二のレンジング要求であるかを判断するレンジング判断ステップと、前記レンジング判断ステップにより前記レンジング要求が前記第一のレンジング要求であると判断した場合と、前記第二のレンジング要求であると判断した場合とで、レンジングを完了させる基準となる前記レンジングパラメータ値の目標範囲を異なるように設定する目標範囲設定ステップと、前記レンジングパラメータ値が、前記目標範囲設定ステップによって設定された前記目標範囲内であるか否かの判定を行い、その判定結果に応じて生成された調整パラメータであって前記移動端末に信号送信条件を調整させるための前記調整パラメータをレンジング応答に格納し、前記調整パラメータを格納した前記レンジング応答を前記移動端末に送信する送信ステップと、を備えていることを特徴としている。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
配列番号２のアミノ酸１〜３２８を含むポリペプチドに結合するアンタゴニスト抗体またはその抗原結合フラグメントを含む、医薬として使用するための、組成物。
【請求項２】
配列番号２の配列を含むポリペプチドをコードするポリヌクレオチドに対するアンチセンス核酸を含む、医薬として使用するための、組成物。
【請求項３】
前記組成物が、以下：
ａ）ＩＬ−１２；
ｂ）ＩＬ−１８；
ｃ）ＴＮＦ；または
ｄ）ＩＦＮγ
のアンタゴニストと組み合わせて投与されることを特徴とする、医薬として使用するための、請求項１または２のいずれかに記載の組成物。
【請求項４】
以下：
ａ）慢性Ｔｈ１媒介性疾患；
ｂ）多発性硬化症；
ｃ）関節リウマチ；
ｄ）骨関節症；
ｅ）炎症性腸疾患；
ｆ）糖尿病；
ｇ）乾癬；
ｈ）敗血症；または
ｉ）同種異系移植
を有する患者を治療するための、請求項１または３に規定される組成物。
【請求項５】
以下：
ａ）慢性Ｔｈ１媒介性疾患；
ｂ）多発性硬化症；
ｃ）関節リウマチ；
ｄ）骨関節症；
ｅ）炎症性腸疾患；
ｆ）糖尿病；
ｇ）乾癬；
ｈ）敗血症；または
ｉ）同種異系移植
を有する患者を治療するための、請求項２に規定される組成物。
【手続補正２】
【補正対象書類名】明細書
【補正対象項目名】００２７
【補正方法】変更
【補正の内容】
【００２７】
【表１】
2012070740.tif 000001
2012070740.tif 000002
2012070740.tif 000003
2012070740.tif 000004
【手続補正３】
【補正対象書類名】明細書
【補正対象項目名】配列表
【補正方法】変更
【補正の内容】
【配列表】
2012070740000001.app
【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
5'領域および隣接する3'領域を含むプライマーであって、
該5'領域が、PKD1遺伝子配列に対して、および任意でPKD1遺伝子の相同配列に対しても、選択的にハイブリダイズするヌクレオチド配列を含み、
該3'領域が、PKD1遺伝子配列に対して選択的にハイブリダイズし、PKD1遺伝子の相同配列に対して選択的にハイブリダイズしないヌクレオチド配列を含み、
該配列番号：11、18、52または60に記載の配列を含まないプライマー。
【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
イオン交換樹脂を用いた燃料電池の水処理装置であって、前記イオン交換樹脂は、陽イオン交換樹脂を含み、銀、銅及び亜鉛のうち少なくともいずれか１つを含む硝酸塩溶液、硫酸塩溶液、錯塩溶液のうち少なくともいずれか１つから選択される溶液を通液することによって、イオン交換樹脂のイオンを銀イオン、銅イオン及び亜鉛イオンのうち少なくともいずれか１つで置換したものであることを特徴とする燃料電池の水処理装置。
【請求項２】
請求項１記載の燃料電池の水処理装置であって、前記イオン交換樹脂は強酸性陽イオン交換樹脂であることを特徴とする燃料電池の水処理装置。
【請求項３】
請求項１記載の燃料電池の水処理装置であって、前記イオン交換樹脂は強酸性陽イオン交換樹脂を含み、初期状態の前記強酸性陽イオン交換樹脂の全交換容量に占める銀イオン若しくは銀を含む錯イオンの割合が、下式（１）により求められる値（ＲAg）以下であることを特徴とする燃料電池の水処理装置。
ＣAg＝３７ｅｘｐ（−２．４ｐＨ）ＲAg3＋８２ｅｘｐ（−２．０ｐＨ）ＲAg2
＋１１００００ｅｘｐ（−２．３ｐＨ）ＲAg ・・・（１）
（ここで、ＣAgは燃料電池の水処理装置出口側処理水の所望銀濃度（但し、ＣAg＝０．００１〜１０ｐｐｂの範囲）、ｐＨは燃料電池の水処理装置入口側被処理水の水素イオン指数（但し、ｐＨ＝４〜６の範囲）、ＲAgは、強酸性陽イオン交換樹脂の全交換容量（ｅｑ／Ｌ−Ｒ）に占める銀イオン若しくは銀を含む錯イオン（ｅｑ／Ｌ−Ｒ）の割合（％）である。）
【請求項４】
請求項２又は３記載の燃料電池の水処理装置であって、前記強酸性陽イオン交換樹脂の架橋度は、１２％以上であることを特徴とする燃料電池の水処理装置。
【請求項５】
請求項１〜４のいずれか１項に記載の燃料電池の水処理装置であって、前記イオン交換樹脂に前記錯塩溶液を通水することによって、イオン交換樹脂のイオンを銀イオン、銅イオン及び亜鉛イオンのうち少なくともいずれか１つで置換後、還元処理により銀、銅又は亜鉛を前記イオン交換樹脂表面及び内部に析出させることを特徴とする燃料電池の水処理装置。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
１ゲームに対して賭け数を設定することによりゲームを開始させることが可能となり、複数の可変表示部を有する可変表示装置の表示結果が導出表示されることにより１ゲームが終了し、該可変表示装置の表示結果に応じて所定の入賞が発生可能であるスロットマシンにおいて、
前記可変表示装置の表示結果が各可変表示部に導出表示された特別識別情報の組み合わせにより構成される特別表示態様となることにより特別入賞が発生したときに、遊技状態を遊技者にとって有利な特別遊技状態に移行させる特別遊技状態移行手段と、
前記特別入賞に関連して、前記特別遊技状態を終了させる前に、当該特別遊技状態の終了後に遊技状態を前記特別遊技状態とは異なる遊技者にとって有利な特定遊技状態に移行させるか否かを決定する特定遊技状態決定手段と、
前記特定遊技状態決定手段により前記特定遊技状態への移行が決定されたときに、前記特別入賞に基づく特別遊技状態を終了させた後に、遊技状態を前記特定遊技状態に移行させる特定遊技状態移行手段と、
１ゲーム毎に前記可変表示装置の表示結果が導出されるよりも前に、該表示結果として導出表示可能とする表示態様を決定する手段であって、前記特別表示態様を導出表示可能とする表示態様として決定することが可能な事前決定手段と、
前記可変表示装置の表示結果を制御する手段であって、前記複数の可変表示部の各々に対応して設けられた停止操作手段が遊技者によって操作されたときに、前記事前決定手段の決定結果と該停止操作手段の操作手順とに従って、該操作された停止操作手段に対応した可変表示部における可変表示を停止させる可変表示制御手段とを備え、
前記可変表示制御手段は、
前記特別遊技状態中におけるゲームにおいて、前記特定遊技状態決定手段により前記特別遊技状態の終了後に前記特定遊技状態に移行させる旨が決定されているときには、決定に応じて前記特別表示態様を導出表示可能とする特別表示態様導出手段と、
前記特別遊技状態中におけるゲームにおいて前記特別表示態様が決定に応じて前記可変表示装置の表示結果として導出表示可能とされないときでも、前記複数の可変表示部のうちの最終停止される可変表示部以外の可変表示部に前記特別表示態様の一部を構成する特別識別情報が該可変表示部に対応する停止操作手段が操作されたときにおいて導出可能な位置にあれば、該可変表示部に該特別識別情報を導出表示させる特別識別情報導出手段と、
前記停止操作手段が操作されたときにおいて前記特別識別情報が導出可能な位置になければ、前記特定遊技状態決定手段により前記特別遊技状態の終了後に前記特定遊技状態に移行させる旨が決定されているか否かを特定不能な所定の表示態様を導出表示させる特定不能態様導出手段とを含む
ことを特徴とするスロットマシン。
【手続補正２】
【補正対象書類名】明細書
【補正対象項目名】００１７
【補正方法】変更
【補正の内容】
【００１７】
上記目的を達成するため、本発明の第２の観点にかかるスロットマシンは、
１ゲームに対して賭け数を設定することによりゲームを開始させることが可能となり、複数の可変表示部を有する可変表示装置の表示結果が導出表示されることにより１ゲームが終了し、該可変表示装置の表示結果に応じて所定の入賞が発生可能であるスロットマシンにおいて、
前記可変表示装置の表示結果が各可変表示部に導出表示された特別識別情報の組み合わせにより構成される特別表示態様となることにより特別入賞が発生したときに、遊技状態を遊技者にとって有利な特別遊技状態に移行させる特別遊技状態移行手段と、
前記特別入賞に関連して、前記特別遊技状態を終了させる前に、当該特別遊技状態の終了後に遊技状態を前記特別遊技状態とは異なる遊技者にとって有利な特定遊技状態に移行させるか否かを決定する特定遊技状態決定手段と、
前記特定遊技状態決定手段により前記特定遊技状態への移行が決定されたときに、前記特別入賞に基づく特別遊技状態を終了させた後に、遊技状態を前記特定遊技状態に移行させる特定遊技状態移行手段と、
１ゲーム毎に前記可変表示装置の表示結果が導出されるよりも前に、該表示結果として導出表示可能とする表示態様を決定する手段であって、前記特別表示態様を導出表示可能とする表示態様として決定することが可能な事前決定手段と、
前記可変表示装置の表示結果を制御する手段であって、前記複数の可変表示部の各々に対応して設けられた停止操作手段が遊技者によって操作されたときに、前記事前決定手段の決定結果と該停止操作手段の操作手順とに従って、該操作された停止操作手段に対応した可変表示部における可変表示を停止させる可変表示制御手段とを備え、
前記可変表示制御手段は、
前記特別遊技状態中におけるゲームにおいて、前記特定遊技状態決定手段により前記特別遊技状態の終了後に前記特定遊技状態に移行させる旨が決定されているときには、決定に応じて前記特別表示態様を導出表示可能とする特別表示態様導出手段と、
前記特別遊技状態中におけるゲームにおいて前記特別表示態様が決定に応じて前記可変表示装置の表示結果として導出表示可能とされないときでも、前記複数の可変表示部のうちの最終停止される可変表示部以外の可変表示部に前記特別表示態様の一部を構成する特別識別情報が該可変表示部に対応する停止操作手段が操作されたときにおいて導出可能な位置にあれば、該可変表示部に該特別識別情報を導出表示させる特別識別情報導出手段と、
前記停止操作手段が操作されたときにおいて前記特別識別情報が導出可能な位置になければ、前記特定遊技状態決定手段により前記特別遊技状態の終了後に前記特定遊技状態に移行させる旨が決定されているか否かを特定不能な所定の表示態様を導出表示させる特定不能態様導出手段とを含む
ことを特徴とする。
【手続補正３】
【補正対象書類名】明細書
【補正対象項目名】００２９
【補正方法】削除
【補正の内容】
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
二次電池からなる電池セルと、
前記電池セルの電池電圧を検出する電圧検出手段と、
前記電池セルが放電するときの前記電池セルの状態を示す状態値を検出する電池状態検出手段と、
前記電池セルの過放電を判別するための基準電圧を設定する基準電圧設定手段と、を備え、
前記電池電圧と前記基準電圧とに基づいて前記電池セルが過放電であると判別したときに前記電池セルの放電を停止させるように構成され、
前記基準電圧設定手段は、前記状態値に応じて前記基準電圧を設定することを特徴とする電池パック。
【請求項２】
前記状態値は、前記電池セルの放電電流であることを特徴とする請求項１記載の電池パック。
【請求項３】
前記状態値は、前記電池セルの温度であることを特徴とする請求項１記載の電池パック。
【請求項４】
前記電池状態検出手段は、前記状態値を所定時間毎に検出し、
前記状態値を順次積算して平均値を演算する演算手段と、
前記平均値を順次記憶する記憶手段と
をさらに備え、
前記記憶手段が前記平均値を複数回記憶したときに、
前記基準電圧設定手段は、
所定値以上となる前記平均値が所定個数未満の場合は、前記基準電圧を第１の電圧値に設定し、
前記所定値以上となる前記平均値が前記所定個数以上になる場合は、前記基準電圧を、前記第１の電圧値より大きな第２の電圧値に設定することを特徴とする請求項１から３のいずれか１つに記載の電池パック。
【請求項５】
前記電池状態検出手段は、前記状態値を所定時間毎に検出し、
前記状態値から最大値を選択して記憶する記憶手段をさらに備え、
前記記憶手段は、前記最大値の複数個を記憶したときに、
前記基準電圧設定手段は、
所定値以上となる前記最大値の個数が所定個数未満の場合は、前記基準電圧を第１の電圧値に設定し、
前記所定値以上となる前記最大値の個数が前記所定個数以上になる場合は、前記基準電圧を、前記第１の電圧値より大きな第２の電圧値に設定することを特徴とする請求項１から３のいずれか１つに記載の電池パック。
【請求項６】
二次電池からなる電池セルと、
前記電池セルの電池電圧を検出する電圧検出手段と、
前記電池セルの過放電を判別するための基準電圧を設定する基準電圧設定手段と、を備え、
前記基準電圧設定手段は、前記電池セルの過去の使用履歴に応じて前記基準電圧を設定し、前記電池電圧と設定された前記基準電圧とに基づいて前記電池セルが過放電であると判断した際に前記電池セルの放電を停止させることを特徴とする電池パック。
【請求項７】
モータと、
前記モータを駆動・停止させるトリガスイッチと、
前記モータの駆動源となる請求項１から６のいずれか１つに記載の電池パックと、を備えたことを特徴とする電動工具。
【手続補正２】
【補正対象書類名】明細書
【補正対象項目名】０００６
【補正方法】変更
【補正の内容】
【０００６】
本発明の電池パックは、二次電池からなる電池セルと、前記電池セルの電池電圧を検出する電圧検出手段と、前記電池セルが放電するときの前記電池セルの状態を示す状態値を検出する電池状態検出手段と、前記電池セルの過放電を判別するための基準電圧を設定する基準電圧設定手段と、を備え、前記電池電圧と前記基準電圧とに基づいて前記電池セルが過放電であると判別したときに前記電池セルの放電を停止させるように構成され、前記基準電圧設定手段は、前記状態値に応じて前記基準電圧を設定することを特徴とする。
【手続補正３】
【補正対象書類名】明細書
【補正対象項目名】０００７
【補正方法】変更
【補正の内容】
【０００７】
このような構成により、電池パックの放電中は、電圧検出手段が電池セルの電池電圧を検出する。このようにして検出された電池電圧と電池セルの過放電を判別する基準電圧とに基づいて電池セルの過放電が判別された場合は、電池セルの放電は停止されて、電池パックの放電経路が遮断される。基準電圧は、電池セルの状態値に応じて設定されるので、電池セルの状態に応じて過放電を判別できる。また、電池パックへの負担や電池パックの早期の劣化を予防できる。
【手続補正４】
【補正対象書類名】明細書
【補正対象項目名】０００８
【補正方法】変更
【補正の内容】
【０００８】
好ましくは、前記状態値は、前記電池セルの放電電流である。電池状態検出手段は、電池セルからの放電電流を検出しているので、電池セルから大電流が放電電流として流れる場合や平均放電電流量が高い場合は、例えば、それに応じて基準電圧を高めに設定する。そして、放電により電池電圧が通常よりも高い基準電圧に達すると、電池セルの放電は停止されて電池パックの放電経路が遮断される。従って、電池パックからの過電流を防止するとともに、過電流による電池パックへの負担を軽減できる。
【手続補正５】
【補正対象書類名】明細書
【補正対象項目名】０００９
【補正方法】変更
【補正の内容】
【０００９】
好ましくは、前記状態値は、前記電池セルの温度である。電池状態検出手段は、電池セルの温度を検出する。従って、電池セルの平均温度が比較的高温となる場合、或いは検出時の温度が比較的高温になる場合は、それに応じて基準電圧を高めに設定する。そして、放電により電池電圧が通常よりも高い基準電圧に達すると、電池セルの放電は停止されて電池パックの放電経路が遮断される。従って、過電流による電池パックへの負担を軽減できる。
【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
モータを駆動するための指令値信号と、前記モータに供給される実電流に関する帰還信号との差を示す偏差信号を、同一の振幅及び線形勾配で繰り返される所定の波形と比較して得られる矩形波に基づいて前記モータを駆動するモータ駆動装置であって、
前記所定の波形の振幅よりも小さい閾値を前記偏差信号が超えた場合に、前記偏差信号の前記閾値を超えた部分を前記閾値の範囲内に制限して出力するリミット回路を備えることを特徴とするモータ駆動装置。
【請求項２】
前記閾値は、前記所定の波形における振幅の変更に応じて変更可能であることを特徴とする請求項１に記載のモータ駆動装置。
【請求項３】
前記閾値は、前記所定の波形の振幅よりも小さい上限値及び下限値として設定されることを特徴とする請求項１または２に記載のモータ駆動装置。
【請求項４】
前記閾値を変更する閾値変更回路をさらに備えることを特徴とする請求項１から３のいずれか一項に記載のモータ駆動装置。
【請求項５】
前記所定の波形は、三角波であることを特徴とする請求項１から４のいずれか一項に記載のモータ駆動装置。
【請求項６】
請求項１から５のいずれか一項に記載のモータ駆動装置によって駆動するモータ。
【請求項７】
物体を載置し、請求項６に記載の前記モータの駆動によって移動するステージ装置。
【手続補正２】
【補正対象書類名】明細書
【補正対象項目名】００１０
【補正方法】変更
【補正の内容】
【００１０】
本発明に係るモータ駆動装置は、モータを駆動するための指令値信号と、前記モータに供給される実電流に関する帰還信号との差を示す偏差信号を、同一の振幅及び線形勾配で繰り返される所定の波形と比較して得られる矩形波に基づいて前記モータを駆動するモータ駆動装置であって、前記所定の波形の振幅よりも小さい閾値を前記偏差信号が超えた場合に、前記偏差信号の前記閾値を超えた部分を前記閾値の範囲内に制限して出力するリミット回路を備えて構成される。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選結果が特別役当選であって特別絵柄が有効位置に停止した場合、遊技状態を遊技者に有利な特別遊技状態に移行させる特別遊技状態移行手段と
を備えた遊技機において、
前記特別遊技状態以外の遊技状態として、前記特別役に当選となる確率が第１確率であって、前記特別役に当選となった場合の規定割合で前記特別役に加えて他の役にも当選となる第１所定遊技状態と、前記特別役に当選となる確率が前記第１確率であって、前記特別役に当選となった場合に前記規定割合よりも高い第２規定割合で前記特別役に加えて他の役にも当選となる第２所定遊技状態と、を少なくとも備え、
前記役の抽選結果が第１結果であって前記停止操作手段に第１特定操作がなされた場合、そのときの遊技状態が前記特別遊技状態以外の遊技状態であればそのときの遊技状態に関わらず遊技状態を前記第１所定遊技状態に移行させる第１移行手段と、
前記役の抽選結果が前記第１結果であって前記停止操作手段に第２特定操作がなされた場合、そのときの遊技状態が前記特別遊技状態以外の遊技状態であればそのときの遊技状態に関わらず遊技状態を前記第２所定遊技状態に移行させる第２移行手段と
を備えたことを特徴とする遊技機。
【請求項２】
前記第２所定遊技状態において前記特別役に当選となった場合に当選となり得る役の数は、前記第１所定遊技状態において前記特別役に当選となった場合に当選となり得る役の数よりも多いことを特徴とする請求項１に記載の遊技機。
【請求項３】
前記第２所定遊技状態を、前記特別役に当選となった場合に当選となり得る役として少なくとも第１所定役と第２所定役を有し、前記第１所定役に当選となった場合に前記特別役にも当選となる割合と、前記第２所定役に当選となった場合に前記特別役にも当選となる割合と、が異なる構成としたことを特徴とする請求項２に記載の遊技機。
【請求項４】
前記第２所定遊技状態において前記特別役に当選となった場合に当選となり得る役に当選となる確率は、前記第１所定遊技状態において前記特別役に当選となった場合に当選となり得る役に当選となる確率よりも高いことを特徴とする請求項１乃至請求項３のいずれかに記載の遊技機。
【請求項５】
前記第１結果とは少なくとも第１役と第２役に当選となる結果であって、前記役の抽選結果が前記第１結果であって前記停止操作手段に前記第１特定操作がなされた場合、前記有効位置に前記第１役と対応する第１絵柄を停止させる第１停止制御手段と、前記役の抽選結果が第１結果であって前記停止操作手段に前記第２特定操作がなされた場合、前記有効位置に前記第２役と対応する第２絵柄を停止させる第２停止制御手段と、前記有効位置に前記第１絵柄が停止した場合、遊技者に第１特典を付与する第１特典付与手段と、前記有効位置に前記第２絵柄が停止した場合、前記第１特典と遊技者の有利度合いが等しい第２特典を付与する第２特典付与手段と、を備えたことを特徴とする請求項１乃至請求項４のいずれかに記載の遊技機。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選結果が特別役当選であって特別絵柄が有効位置に停止した場合、遊技状態を遊技者に有利な特別遊技状態に移行させる特別遊技状態移行手段と、
前記役の抽選結果が所定役当選であって所定絵柄が前記有効位置に停止した場合、遊技者に所定特典を付与する所定特典付与手段と
を備え、１遊技回で前記特別役と前記所定役に共に当選となる機会が生じる遊技機において、
前記特別遊技状態以外の遊技状態として、１遊技回で前記特別役と前記所定役に共に当選となる機会が生じる第１所定遊技状態と、１遊技回で前記特別役と前記所定役に共に当選となる機会が生じるとともに、前記第１所定遊技状態より前記所定役に当選となった場合に前記特別役にも当選している割合が高い第２所定遊技状態と、を少なくとも備え、
前記役の抽選結果が第１結果であって前記停止操作手段に第１特定操作がなされた場合、そのときの遊技状態が前記特別遊技状態以外の遊技状態であればそのときの遊技状態に関わらず遊技状態を前記第１所定遊技状態に移行させる第１移行手段と、
前記役の抽選結果が前記第１結果であって前記停止操作手段に第２特定操作がなされた場合、そのときの遊技状態が前記特別遊技状態以外の遊技状態であればそのときの遊技状態に関わらず遊技状態を前記第２所定遊技状態に移行させる第２移行手段と
を備えたことを特徴とする遊技機。
【請求項２】
遊技状態が前記第１所定遊技状態である場合に前記抽選手段が前記役の抽選に用いる第１抽選情報を記憶する第１抽選情報記憶手段と、遊技状態が前記第２所定遊技状態である場合に前記抽選手段が前記役の抽選に用いる第２抽選情報を記憶する第２抽選情報記憶手段と、を備え、少なくとも前記第１抽選情報は、前記所定役にのみ当選となる単独当選情報と、前記所定役と前記特別役に共に当選となる複数当選情報と、を有し、前記第１所定遊技状態では、前記所定役に当選となる確率が前記第２所定遊技状態よりも高くなることを特徴とする請求項１に記載の遊技機。
【請求項３】
前記第１結果とは少なくとも第１役と第２役に当選となる結果であって、前記役の抽選結果が前記第１結果であって前記停止操作手段に前記第１特定操作がなされた場合、前記有効位置に前記第１役と対応する第１絵柄を停止させる第１停止制御手段と、前記役の抽選結果が第１結果であって前記停止操作手段に前記第２特定操作がなされた場合、前記有効位置に前記第２役と対応する第２絵柄を停止させる第２停止制御手段と、前記有効位置に前記第１絵柄が停止した場合、遊技者に第１特典を付与する第１特典付与手段と、前記有効位置に前記第２絵柄が停止した場合、前記第１特典と遊技者の有利度合いが等しい第２特典を付与する第２特典付与手段と、を備えたことを特徴とする請求項１又は請求項２に記載の遊技機。
【請求項４】
前記役の抽選結果が前記第１結果であって前記停止操作手段に第３特定操作がなされた場合、そのときの遊技状態が前記特別遊技状態以外の遊技状態であれば当該遊技状態を維持する遊技状態維持手段を備えたことを特徴とする請求項１乃至請求項３のいずれかに記載の遊技機。
【請求項５】
前記第１特定操作と前記第２特定操作の少なくとも一方を、前記停止操作手段を規定のタイミングで操作することを含む操作とし、前記第３特定操作を、前記停止操作手段の操作タイミングを含まない操作としたことを特徴とする請求項４に記載の遊技機。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選結果が特別役当選であって特別絵柄が有効位置に停止した場合、遊技状態を遊技者に有利な特別遊技状態に移行させる特別遊技状態移行手段と、
前記役の抽選結果が所定役当選であって所定絵柄が前記有効位置に停止した場合、遊技者に所定特典を付与する所定特典付与手段と
を備え、１遊技回で前記特別役と前記所定役に共に当選となる機会が生じる遊技機において、
前記特別遊技状態以外の遊技状態として、１遊技回で前記特別役と前記所定役に共に当選となる機会が生じる第１所定遊技状態と、１遊技回で前記特別役と前記所定役に共に当選となる機会が生じるとともに前記第１所定遊技状態より前記所定役に当選となる確率が高い第２所定遊技状態と、を少なくとも備え、
前記役の抽選結果が第１結果であって前記停止操作手段に第１特定操作がなされた場合、そのときの遊技状態が前記特別遊技状態以外の遊技状態であればそのときの遊技状態に関わらず遊技状態を前記第１所定遊技状態に移行させる第１移行手段と、
前記役の抽選結果が前記第１結果であって前記停止操作手段に第２特定操作がなされた場合、そのときの遊技状態が前記特別遊技状態以外の遊技状態であればそのときの遊技状態に関わらず遊技状態を前記第２所定遊技状態に移行させる第２移行手段と
を備えたことを特徴とする遊技機。
【請求項２】
少なくとも前記各所定遊技状態において前記抽選手段が前記役の抽選に用いる抽選情報を、前記役の抽選結果が前記第１結果となる確率がいずれの役にも当選とならない結果と対応する確率を除いて最も高くなる構成としたことを特徴とする請求項１に記載の遊技機。
【請求項３】
前記役の抽選結果が前記特別役と前記所定役に共に当選となる結果である場合、前記有効位置に前記特別絵柄よりも前記所定絵柄を優先して停止させる優先停止制御手段を備えたことを特徴とする請求項１又は請求項２に記載の遊技機。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選結果が特別役当選であって特別絵柄が有効位置に停止した場合、遊技状態を遊技者に有利な特別遊技状態に移行させる特別遊技状態移行手段と、
前記役の抽選結果が所定役当選であって所定絵柄が前記有効位置に停止した場合、遊技者に所定特典を付与する所定特典付与手段と
を備え、１遊技回で前記特別役と前記所定役に共に当選となる機会が生じる遊技機において、
前記有効位置を複数設定可能な有効位置設定手段と、
前記所定役に当選したことに基づいて、前記複数の有効位置のうち第１所定数の有効位置に前記所定絵柄を停止させるべく前記循環表示手段を表示制御する第１表示制御手段と、
前記所定役に当選したことに基づいて、前記複数の有効位置のうち前記第１所定数より多い第２所定数の有効位置に前記所定絵柄を停止させるべく前記循環表示手段を表示制御する第２表示制御手段と
を備え、
前記第１所定数の有効位置に前記所定絵柄が停止した場合の前記特別役に当選している割合と、前記第２所定数の有効位置に前記所定絵柄が停止した場合の前記特別役に当選している割合と、が異なる構成としたことを特徴とする遊技機。
【請求項２】
前記第２所定数の有効位置に前記所定絵柄が停止した場合の前記特別役に当選している割合が、前記第１所定数の有効位置に前記所定絵柄が停止した場合の前記特別役に当選している割合より高くなる構成としたことを特徴とする請求項１に記載の遊技機。
【請求項３】
１遊技回で前記特別役と共に当選となる機会の発生しない第２所定役に当選した場合、前記複数の有効位置のうち前記第１所定数と等しい又は前記第１所定数より少ない第３所定数の有効位置に、前記第２所定役と対応する第２所定絵柄を停止させるべく前記循環表示手段を表示制御する第３表示制御手段を備えたことを特徴とする請求項２に記載の遊技機。
【請求項４】
前記第１表示制御手段は、前記役の抽選結果が前記所定役に当選したことを含む第１結果である場合に前記循環表示手段を表示制御し、前記第２停止制御手段は、前記役の抽選結果が前記所定役に当選したことを含むとともに前記第１結果と異なる第２結果である場合に前記循環表示手段を表示制御することを特徴とする請求項１乃至請求項３のいずれかに記載の遊技機。
【請求項５】
前記循環表示手段は、前記絵柄を循環表示させる循環表示部を少なくとも３つ備え、前記有効位置設定手段は、前記所定役に当選し、特定循環表示部を含む複数の循環表示部が前記絵柄の循環表示を停止するとともに１つの循環表示部が前記絵柄の循環表示を行っている際に前記所定絵柄を形成する絵柄が前記有効位置に停止した場合、前記第１所定数の有効位置に前記所定絵柄が停止する余地と、前記第２所定数の有効位置に前記所定絵柄が停止する余地と、が共に残るよう前記複数の有効位置を設定することを特徴とする請求項１乃至請求項４のいずれかに記載の遊技機。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選結果が特別役当選であって特別絵柄が有効位置に停止した場合、遊技状態を遊技者に有利な特別遊技状態に移行させる特別遊技状態移行手段と、
前記役の抽選結果が所定役当選であって所定絵柄が前記有効位置に停止した場合、遊技者に所定特典を付与する所定特典付与手段と
を備え、１遊技回で前記特別役と前記所定役に共に当選となる機会が生じる遊技機において、
前記所定役に当選するとともに前記停止操作手段が第１所定タイミングで操作されたことに基づいて、前記有効位置に前記所定絵柄が停止する所定停止結果を表示すべく前記循環表示手段を表示制御する第１表示制御手段と、
前記所定役に当選するとともに前記停止操作手段が第２所定タイミングで操作されたことに基づいて、前記所定停止結果を表示すべく前記循環表示手段を表示制御する第２表示制御手段と
を備え、
前記第１表示制御手段が前記循環表示手段を表示制御した場合と、前記第２表示制御手段が前記循環表示手段を表示制御した場合と、で前記所定停止結果が表示された場合の前記特別役に当選している割合が異なる構成としたことを特徴とする遊技機。
【請求項２】
前記役の抽選結果が前記所定役に当選したことを含む第１結果である場合、前記第１表示制御手段及び前記第２表示制御手段は、前記所定停止結果を表示すべく前記循環表示手段を表示制御し、前記役の抽選結果が前記所定役に当選したことを含む第２結果である場合、前記第１表示制御手段は、前記所定停止結果と異なる第２所定停止結果を表示すべく前記循環表示手段を表示制御し、前記第２表示制御手段は、前記所定停止結果を表示すべく前記循環表示手段を表示制御することを特徴とする請求項１に記載の遊技機。
【請求項３】
前記有効位置を複数設定可能な有効位置設定手段を備え、前記第１表示制御手段及び前記第２表示制御手段は、前記所定停止結果として前記複数の有効位置のうち第１所定数の有効位置に前記所定絵柄が停止する停止結果を表示し、前記第１表示制御手段は、前記第２所定停止結果として前記複数の有効位置のうち前記第１所定数より多い第２所定数の有効位置に前記所定絵柄が停止する停止結果を表示し、前記停止操作手段が前記第１所定タイミングで操作された場合における前記第１所定数の有効位置に前記所定絵柄が停止した場合の前記特別役に当選している割合と、前記停止操作手段が前記第１所定タイミングで操作された場合における前記第２所定数の有効位置に前記所定絵柄が停止した場合の前記特別役に当選している割合と、が異なる構成としたことを特徴とする請求項２に記載の遊技機。
【請求項４】
前記第２所定数の有効位置に前記所定絵柄が停止した場合の前記特別役に当選している割合が、前記第１所定数の有効位置に前記所定絵柄が停止した場合の前記特別役に当選している割合より高くなる構成としたことを特徴とする請求項３に記載の遊技機。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる複数の循環表示手段と、
前記絵柄の循環表示を開始させるべく操作される開始操作手段と、
役の抽選を行う抽選手段と、
前記絵柄の循環表示を個別に停止させるべく操作される複数の停止操作手段と、
前記役の抽選結果が特別役当選であって特別絵柄が有効位置に停止した場合、遊技状態を遊技者に有利な特別遊技状態に移行させる特別遊技状態移行手段と、
前記役の抽選結果が所定役当選であって所定絵柄が前記有効位置に停止した場合、遊技者に所定特典を付与する所定特典付与手段と
を備え、１遊技回で前記特別役と前記所定役に共に当選となる機会が生じる遊技機において、
前記各停止操作手段が第１操作順序で操作された場合に前記絵柄の循環表示を停止させるべく前記各循環表示手段を停止制御する第１停止制御手段と、
前記各停止操作手段が第２操作順序で操作された場合に前記絵柄の循環表示を停止させるべく前記各循環表示手段を停止制御する第２停止制御手段と
を備え、
前記第１停止制御手段が前記各循環表示手段を停止制御した場合と、前記第２停止制御手段が前記各循環表示手段を停止制御した場合と、で前記所定絵柄が前記有効位置に停止した場合の前記特別役に当選している割合が異なることを特徴とする遊技機。
【請求項２】
前記第１停止制御手段は、前記役の抽選結果が前記所定役に当選したことを含む各結果のうち特定結果である場合、前記所定絵柄が前記有効位置に停止することを回避させるべく前記循環表示手段を停止制御するための回避情報を設定する回避情報設定手段を有し、前記第２停止制御手段は、前記役の抽選結果が前記特定結果である場合、前記所定絵柄を前記有効位置に停止させるべく前記循環表示手段を停止制御するための停止情報を設定する停止情報設定手段を有することを特徴とする請求項１に記載の遊技機。
【請求項３】
前記循環表示手段を停止制御する場合に用いる情報を記憶する情報記憶手段と、前記所定役に当選した場合、前記各停止操作手段のいずれかが操作される前までに、前記所定絵柄を前記有効位置に停止させるべく前記循環表示手段を停止制御するための停止情報を前記情報記憶手段に設定する第１設定手段と、を備え、前記回避情報設定手段は、前記役の抽選結果が前記特定結果である場合、前記情報記憶手段に記憶された情報を前記回避情報に変更することを特徴とする請求項２に記載の遊技機。
【請求項４】
前記役の抽選結果が第２所定役当選であって第２所定絵柄が前記有効位置に停止した場合、遊技者に第２所定特典を付与する第２所定特典付与手段を備え、前記特定結果とは少なくとも前記所定役と前記第２所定役に当選となる結果であって、前記回避情報設定手段は、前記回避情報として、前記第２所定絵柄を前記有効位置に停止させるべく前記循環表示手段を停止制御するための情報を設定することを特徴とする請求項２又は請求項３に記載の遊技機。
【手続補正書】
【提出日】平成24年8月21日(2012.8.21)
【手続補正１】
【補正対象書類名】明細書
【補正対象項目名】００２２
【補正方法】変更
【補正の内容】
【００２２】
上半体１は略円形の基枠１１を備えており、基枠１１上には駆動部材たるモータ１２が設置されるとともに、通信回路１３が設けられている。水平に突出するモータ回転軸１２１には板状のカム体３が取着されている。カム体３は略円形で、外周の一部は外方へ三角状に突出する突出部３１となっている。カム体３は円形の中心がモータ回転軸１２１に固定されるとともに、その板面には案内部としての長孔状の案内孔３２が形成されている。
【手続補正２】
【補正対象書類名】明細書
【補正対象項目名】００４６
【補正方法】変更
【補正の内容】
【００４６】
なお、上記各実施形態において、カム体に設けられる案内部は必ずしも案内孔である必要は無い。下半体の走行輪は必ずしも設ける必要は無く、この場合は、跳躍前の傾斜姿勢を前後方向のみならず左右方向へも調整可能な姿勢調整機構を設けて、跳躍方向を任意に設定できるようにすると良い。